(57)【要約】【課題】  浴室のドアや窓を開けることなく、浴槽の残り湯を洗濯槽に供給することができると共に、取り扱いが容易である浴室配管接続具を提供する。【解決手段】  浴槽２を備えた浴室３に面し、第一貫通孔が穿設された浴室内壁１１、及び、該浴室内壁１１に相対すると共に浴室外５に面し、第一貫通孔に相対する位置に第二貫通孔が穿設された浴室外壁１０、を有する浴室壁体６における第一貫通孔及び第二貫通孔に、両端を浴室壁体から突出させた状態で挿通され、外周面に雄ネジ部を有し、且つ、浴室壁体６から突出した夫々の端部に浴室３又は浴室外５に配置された配管１９，２０を夫々接続可能である筒体７と、該筒体７の、第一貫通孔から突出した部分又は第二貫通孔から突出した部分に螺合され、筒体を浴室壁体に固定するナット８，９とを具備する。【選択図】  図１
2006274550.tif 000002
【特許請求の範囲】
【請求項１】
浴槽を備えた浴室に面し、第一貫通孔が穿設された浴室内壁、及び、該浴室内壁に相対すると共に浴室外に面し、前記第一貫通孔に相対する位置に第二貫通孔が穿設された浴室外壁、を有する浴室壁体における前記第一貫通孔及び前記第二貫通孔に、両端を前記浴室壁体から突出させた状態で挿通され、外周面の少なくとも一部に雄ネジ部を有し、且つ、前記浴室壁体から突出した夫々の端部に浴室又は浴室外に配置された配管を夫々接続可能である筒体と、
該筒体の、前記第一貫通孔から突出した部分又は前記第二貫通孔から突出した部分の少なくとも一方に螺合され、前記筒体を前記浴室壁体に固定する固定部材と、
を具備することを特徴とする浴室配管接続具。
【請求項２】
浴槽を備えた浴室に面し、第一貫通孔が穿設された浴室内壁、及び、該浴室内壁との間に間隙を形成して配置されると共に浴室外に面し、前記第一貫通孔に相対する位置と異なる位置に第二貫通孔が穿設された浴室外壁、を有する浴室壁体における前記第一貫通孔に、一端を前記浴室内壁から突出させると共に他端を前記間隙に介在させた状態で挿通され、外周面の少なくとも一部に雄ネジ部を有し、且つ、前記一端に浴室に配置された配管を接続可能である筒体と、
該筒体に、前記浴室内壁における前記浴室側、又は前記浴室内壁における前記間隙側、のいずれか一方から螺合され、前記筒体を前記浴室内壁に対して固定する固定部材と、
前記第二貫通孔に挿通され、一端が前記筒体における前記間隙に介在する端部に接続されると共に他端が浴室外に配置された配管を接続可能である管状体と
を具備することを特徴とする浴室配管接続具。
【請求項３】
前記間隙に配置され、前記浴室内壁の浴室側の面よりも窪み、前記浴室内と連通する収容凹部を形成し、該収容凹部を形成する壁体が前記第一貫通孔を有した前記浴室内壁の一部とされ、前記第一貫通孔に前記固定部材によって固定された前記筒体の一端を前記収容凹部に収容可能な収容ケースをさらに具備することを特徴とする請求項２に記載の浴室配管接続具。
【請求項４】
前記筒体は、外周面に対して出没可能に設けられ、前記浴室内壁の前記浴室外壁と対向する面に当接して前記浴室内壁に係止可能である係止部をさらに有することを特徴とする請求項１乃至請求項３のいずれか一つに記載の浴室配管接続具。
【発明の詳細な説明】
【技術分野】
【０００１】
本発明は、浴室配管接続具に関するものであり、詳しくは、浴槽を備えた浴室を区画する浴室壁体に設置された浴室配管接続具に関するものである。
【背景技術】
【０００２】
従来、浴槽の残り湯を洗濯水として再利用するために、浴室に近接して設置された洗濯機にこの残り湯を供給する方法として、ポンプ及びホースが利用されている。これは、手動又は電動により発生させたポンプの吸引力を利用して吸引した浴槽の残り湯を、このポンプに接続したホースを介して洗濯機の洗濯槽へ供給するものである。
【０００３】
この様にポンプ及びホースを利用した場合、使用する際には浴室の窓又は扉を介して浴槽及び洗濯機間にホースを設置する必要があるため、使用中は浴室の窓又は扉を開放した状態にする必要があった。このため、浴室内の湿気が浴室外の洗面所等に流出し、この洗面所等の壁、床、又は天井の腐食又はカビの発生等の原因となるおそれがあり、問題であった。
【０００４】
そして、このような問題を解決するものとして、浴室と洗濯機の設置された洗面室との間の壁面の低い位置に、その壁面を貫通し、ホースを挿通可能なホース端挿通孔が形成されたホース固定装置を設けたものが提案されている（例えば、特許文献１）。また、浴室と洗面室とを仕切る間仕切り壁に浴槽吸水ホースを収納可能な収納庫を設け、一端が浴槽吸水ホースに、他端が洗濯吸水に夫々接続され、間仕切り壁を貫通する管接続具を備えたものも提案されている（例えば、特許文献２）。
【０００５】
これらのものによると、浴室のドアや窓を開けることなく、浴槽内の残り湯を洗濯機に供給することが可能である。したがって、洗濯機を設置した部屋に浴室の湿気を流出させることを防止することができる。
【０００６】
【特許文献１】特開２００４−６５４２０号公報
【特許文献２】特開２００１−６５０８６号公報
【発明の開示】
【発明が解決しようとする課題】
【０００７】
しかしながら、特許文献１のホース固定装置の場合、浴槽の残り湯を洗濯機に供給する際に、吸水ホースをホース固定装置のホース端挿通孔に通さなければならず、手間がかかり使い勝手の悪いものとなっていた。
【０００８】
また、特許文献２の管接続具の場合、浴室と洗面室とを仕切る間仕切り壁に浴槽吸水ホースを収納する収納庫を必要とするため、間仕切り壁に収容庫を設置するためのスペースが必要となる。このため、収容庫を設置するためのスペースが確保できない場合等には、この管接続具を使用することができないという問題があった。
【０００９】
そこで、本発明は、上記実情に鑑みて、浴室のドアや窓を開けることなく、浴槽の残り湯を洗濯槽に供給することができると共に、取り扱いが容易である浴室配管接続具の提供を課題とするものである。
【課題を解決するための手段】
【００１０】
上述した課題を解決するために本発明の採った手段は、
「浴槽を備えた浴室に面し、第一貫通孔が穿設された浴室内壁、及び、該浴室内壁に相対すると共に浴室外に面し、前記第一貫通孔に相対する位置に第二貫通孔が穿設された浴室外壁、を有する浴室壁体における前記第一貫通孔及び前記第二貫通孔に、両端を前記浴室壁体から突出させた状態で挿通され、外周面の少なくとも一部に雄ネジ部を有し、且つ、前記浴室壁体から突出した夫々の端部に浴室又は浴室外に配置された配管を夫々接続可能である筒体と、
該筒体の、前記第一貫通孔から突出した部分又は前記第二貫通孔から突出した部分の少なくとも一方に螺合され、前記筒体を前記浴室壁体に固定する固定部材と、
を具備することを特徴とする浴室配管接続具」
である。
【００１１】
ここで、「浴室壁体」とは、浴室と浴室に隣室する部屋（例えば、脱衣室、洗面室、居間、又はキッチン等）と、或いは、浴室と建物の外部とを区画するものであり、相対する二枚の壁材を有するものである。なお、この二枚の壁材間は、中空とされたものであっても、中実とされたものであっても構わない。
【００１２】
また、「筒体」とは、浴室内壁に穿設された「第一貫通孔」、及び浴室外壁に穿設された「第二貫通孔」に挿通されるものであり、単一又は複数の部材から構成されるものである。
【００１３】
ところで、従来から、入浴時のリラックス感を向上させるために、所定の成分を含んだ入浴剤を浴槽に投入することが行われているが、入浴剤の成分や浴槽の素材等によっては、浴槽の変色や色褪せの原因となるため、使用できない場合がある。ここで、所定の成分を含む気体を発生させる、マイナスイオン発生装置やアロマテラピー芳香放出装置等の気体供給装置を用いることが考えられる。そして、この気体供給装置が十分な防水能力を有しない場合には、浴室外にこの気体供給装置を設置し、浴室のドア又は窓を介して気体を供給させる必要があるが、この場合にも、浴室内の湿気が浴室外の洗面所等に流出し、この洗面所等の壁、床、又は天井の腐食又はカビの発生等の原因となるおそれがある。さらに、浴室を使用中にドア又は窓を開放すると、浴室の室温が低下するおそれがある。
【００１４】
上記構成の浴室配管接続具では、筒体が、浴室内壁に穿設された第一貫通孔、及び浴室外壁に穿設された第二貫通孔に挿通されている。そして、この筒体の外周面には雄ネジ部が形成されており、固定部材がこの雄ネジ部に螺合されている。これにより、筒体は、浴室壁体に対する長さ方向への移動を制限され、浴室壁体に貫通した状態で固定される。そして、この筒体の両端に、浴室に設置された配管及び浴室外に設置された配管を夫々接続することによって、浴室のドア又は窓を介することなく浴槽の残り湯を供給するための配管を設置することが可能となる。したがって、上記構成の浴室配管接続具によれば、浴室のドアや窓を開けることなく、浴槽の残り湯を洗濯槽に供給することができる。
【００１５】
さらに、筒体の第二貫通孔から突出した部分を、浴室外に設置された上述の気体供給装置に取り付けられた配管に接続することによって、浴室のドア又は窓を介することなく浴室内に気体を供給することが可能になる。その結果、入浴時のリラックス感を向上させるための成分を含んだ気体を、浴室のドアや窓を開けることなく浴室内に供給することができる。
【００１６】
また、上記構成の浴室配管接続具では、浴室壁体に必要なスペースとしては、筒体を挿通可能な第一貫通孔又は第二貫通孔を穿設するためのスペースのみとなるため、壁体の状況に制限を受けることなく、幅広く対応することが可能となる。さらに、筒体は、固定部材を螺合させることによって固定するものであるため、固定部材の螺合位置を調節することによって種々の浴室壁体の厚さに対応することが可能である。加えて、上述の特許文献２のホースの収納部のようなものを備えるものではなく、浴室壁体を貫通するように設置されているものであるため、比較的簡単な施工によって設置することができる。したがって、上記構成の浴室配管接続具によれば、取り扱いが容易な浴室配管接続具とすることができる。
【００１７】
さらに、種々の浴室壁体に対応可能とするためには、筒体を、浴室壁体の厚み寸法よりも大きく長尺に形成させ、外周面のほぼ全体に雄ネジ部を形成させておくことが好適である。これにより、筒体を浴室壁体に挿通する際に、筒体の長さ寸法を浴室壁体の厚み寸法に応じた寸法となるように現場で切断することによって、一種類の筒体のみで浴室壁体の種々の厚み寸法に対応することが可能となる。これにより、予め長さの異なる複数の筒体を用意する必要がなくなり、作業性の向上及びコストの軽減を図ることができる。
【００１８】
ここで、固定部材の個数としては、浴室内壁又は浴室外壁から突出した部分のいずれか一方からにのみ螺合させるために一つの固定部材を使用するものであっても、浴室内壁及び浴室外壁から突出した部分にそれぞれ螺合させるために二つの固定部材を使用するものであっても構わない。なお、一つの固定部材を使用する場合には、筒体の浴室壁体への挿通状態をより的確に保持するために、筒体の一端に、浴室内壁又は浴室外壁に当接可能なフランジを設け、このフランジを浴室内壁又は浴室外壁に当接させた状態で筒体の他端に固定部材を螺合させることが好適である。
【００１９】
また、上述した課題を解決するために本発明の採った手段は、
「浴槽を備えた浴室に面し、第一貫通孔が穿設された浴室内壁、及び、該浴室内壁との間に間隙を形成して配置されると共に浴室外に面し、前記第一貫通孔に相対する位置と異なる位置に第二貫通孔が穿設された浴室外壁、を有する浴室壁体における前記第一貫通孔に、一端を前記浴室内壁から突出させると共に他端を前記間隙に介在させた状態で挿通され、外周面の少なくとも一部に雄ネジ部を有し、且つ、前記一端に浴室に配置された配管を接続可能である筒体と、
該筒体に、前記浴室内壁における前記浴室側、又は前記浴室内壁における前記間隙側、のいずれか一方から螺合され、前記筒体を前記浴室内壁に対して固定する固定部材と、
前記第二貫通孔に挿通され、一端が前記筒体における前記間隙に介在する端部に接続されると共に他端が浴室外に配置された配管を接続可能である管状体と
を具備することを特徴とする浴室配管接続具」
とすることもできる。
【００２０】
ここで、浴室と浴室の隣室とを区画する浴室壁体に開口した浴室の出入口に配置される扉としては、開き戸や引戸など様々な種類のものが用いられるが、扉が出入口の開口面積と略同等の板面積を有する一枚の引戸である場合、出入口を開けた引戸は、この出入口に隣接する浴室壁体に沿って浴室外側に配置されるものが一般的である。このため、特許文献１のホース固定装置、又は特許文献２の管接続具をこの浴室壁体に設置した場合、浴室外壁から突出した部分が障害となり、浴室外側の配管を接続した状態で引戸を開閉させることは困難である。したがって、引戸を開閉するためには、この浴室配管接続具に接続した配管をその都度取り外す必要があり、この作業は非常に手間のかかるものである。なお、本発明の請求項１の浴室配管接続具も、同様の問題が生じる可能性がある。
【００２１】
なお、筒体の具体的な形状としては、一方の端部が間隙に介在させた状態で挿通可能なものであれば、特に限定するものではなく、略Ｉ字形状の他に、略直角に折曲形成された略Ｌ字形状や、内部に分岐通路が形成された略Ｔ持形状が挙げられる。さらに詳しく説明すると、略Ｌ字形状の筒体は、間隙に介在する端部が浴室壁体と並行することとなるため、浴室内壁及び浴室内壁間の間隙の幅寸法が小寸である場合に好適である。一方、略Ｔ字形状の筒体は、管状体又は配管との接続部分を二箇所有することとなるため、浴室外壁が、浴室内壁における第一貫通孔に相対する位置と異なる位置に穿設された第二貫通孔に加え、第一貫通孔に相対する位置に穿設された貫通孔を備える場合に好適である。
【００２２】
上記構成の浴室配管接続具では、第一貫通孔に挿通された筒体と、第一貫通孔に相対しない位置に位置した第二貫通孔に挿通された管状体とが、浴室内壁及び浴室外壁間に形成された間隙において接続される。これにより、浴室外壁における管状体と配管との接続位置を任意に決定することが可能になる。その結果、第二貫通孔の穿設位置を引戸が通過する位置と異なる位置に設定することによって、浴室外壁における管状体又は配管が引戸の開閉の障害となることはなくなり、浴室を使用する際に配管を取り外す手間が省略される。したがって、上記構成の浴室配管接続具によれば、より取り扱いが容易な浴室配管接続具とすることができる。
【００２３】
上述した手段において、
「前記間隙に配置され、前記浴室内壁の浴室側の面よりも窪み、前記浴室内と連通する収容凹部を形成し、該収容凹部を形成する壁体が前記第一貫通孔を有した前記浴室内壁の一部とされ、前記第一貫通孔に前記固定部材によって固定された前記筒体の一端を前記収容凹部に収容可能な収容ケースをさらに具備することを特徴とする浴室配管接続具」
としてもよい。
【００２４】
筒体の端部が浴室内壁から突出した状態の場合、浴室内の美的外観を損なうおそれがある。
【００２５】
上記構成の浴室配管接続具では、浴室と連通する収容凹部が形成された収容ケースが浴室外壁及び浴室内壁間の間隙に設置される。そして、収容凹部を形成する壁体を、第一貫通孔を有した浴室内壁の一部とすることにより、筒体における浴室側に突出した部分を、収容ケースに収容することが可能となる。したがって、上記構成の浴室配管接続具によれば、浴室内の美的外観を損なうことなく設置することができる。
【００２６】
なお、より的確に浴室内の美的外観を保つためには、収容部の開口部分に扉を取り付けることが好適である。これにより、不使用時には筒体の突出部分を完全に遮蔽することが可能となり、浴室内の美的外観を保つことができる。さらに、この扉に浴室に設置された配管が挿通可能な切り欠きや貫通孔を設け、その切り欠き等を介して配管を延び出させるようにしても良く、これにより、扉を閉じた状態でも配管を接続することが可能となり、浴室内の美的外観を損なうことなく使用することができる浴室配管接続具とすることができる。
【００２７】
上述した手段において、
「前記筒体は、外周面に対して出没可能に設けられ、前記浴室内壁の前記浴室外壁と対向する面に当接して前記浴室内壁に係止可能である係止部をさらに有することを特徴とする浴室配管接続具」
としてもよい。
【００２８】
近年においては、浴室壁体を構成する浴室内壁の壁厚が薄型化される傾向にある。このため、固定部材によって浴室内壁に一方向から強い力を加えた場合、この浴室内壁に撓みが生じるおそれがある。
【００２９】
上記構成の浴室配管接続具では、係止部を浴室内壁の浴室外壁と対向する面に当接させることが可能になる。これにより、係止部を浴室内壁に当接させた状態で固定部材を螺合させることによって、浴室内壁を係止部及び固定部材によって挟み込んで固定することが可能となる。その結果、浴室内壁の撓みを防止することが可能となる。したがって、上記構成の浴室配管接続具によれば、薄型の壁から構成される浴室壁体にも好適に使用することができる。
【００３０】
さらに、上記構成の浴室配管接続具では、係止部は、筒体の外周面に対して出没可能に設けられているため、外周面に対して没入させることにより、筒体を第一貫通孔に挿通させることが可能となる。これにより、筒体を第一貫通孔及び第二貫通孔に挿通させる際に、浴室内壁側から挿通させることも可能である。したがって、上記構成の浴室配管接続具によれば、使い勝手の良い浴室配管接続具とすることができる。
【発明の効果】
【００３１】
上述の通り、本発明によれば、浴室のドアや窓を開けることなく、浴槽の残り湯を洗濯槽に供給することができると共に、取り扱いが容易である浴室配管接続具の提供することができる。
【発明を実施するための最良の形態】
【００３２】
以下、本発明の第一実施形態である浴室配管接続具について、図１及び図２に基づいて説明する。
【００３３】
主に図１に示すように、第一実施形態の浴室配管接続具１は、浴室のドアや窓を開けることなく、浴槽の残り湯を洗濯機に供給することができるものであり、浴槽２を備えた浴室３と洗濯機４が設置された浴室外５（第一実施形態では脱衣室）とを区画する浴室壁体６を貫通して設置された筒体７と、この筒体７を浴室壁体６の両側から固定するナット８，９とから構成されているものである。ここで、ナット８，９は、本発明における固定部材に相当する。
【００３４】
次に、浴室配管接続具１が設置される浴室壁体６について、さらに詳しく説明する。浴室壁体６は、浴室３内に面した浴室内壁１０と、浴室内壁１０に相対すると共に浴室外５に面した浴室外壁１１とを有するものであり、この浴室内壁１０及び浴室外壁１１には、互いに対向する位置に、筒体７が挿通可能な第一貫通孔１２及び第二貫通孔１３が夫々穿設されている。
【００３５】
次に、筒体７についてさらに詳しく説明する。図２に示すように、筒体７は、略円筒状の外観を呈しており、外周面には、一面に雄ネジ部１４が設けられている。また、筒体７の外周面には、係止部１５が取り付けられている。
【００３６】
図２に示すように、係止部１５は、筒体７の外周面に対して起立する起立位置と、外周面に沿って傾倒する傾倒位置との間で弾性変形可能に構成された板バネ状の係止爪１６と、筒体７の外周面に形成され、係止爪１６が没入可能な収容溝１７とから構成されるものである。そして、係止爪１６は、その一端が浴室内壁１０の浴室外壁１１側の面と当接可能に構成されている。これにより、この係止爪１６は、傾倒位置側への力（図２紙面右方向）が加えられた場合には、筒体７の外周面から没入する（図２二点鎖線参照）傾倒位置に向かって弾性変形する。一方、起立位置側への力（図２紙面左方向）が加えられた場合には、浴室内壁１０に当接可能な起立位置に向かって弾性変形する。
【００３７】
また、筒体７は、浴室３に突出した一端には浴槽２の残り湯１８を吸引するためのホース１９が、浴室外５に突出した他端には洗濯機４に給水するためのパイプ２０が、夫々接続可能となっている。
【００３８】
さらに、ナット８と浴室内壁１０との間、又は、ナット９と浴室外壁１１との間には、圧迫変形可能なゴム製パッキン２１，２２がそれぞれ介在されている。このゴム製パッキン２１，２２は、ナット８，９の螺合により圧迫変形することによってナット８，９の螺合状態を的確に保持する。加えて、ゴム製パッキン２１においては、ナット８の螺合により圧迫変形することによって水密が確実に確保され、第一貫通孔１２と第一貫通孔１２に挿通された筒体７との間隙から浴室の蒸気が流出することを的確に防止することができる。
【００３９】
次に、第一実施形態の浴室配管接続具１を設置する手順について、図１乃至図３に基づいて説明する。なお、第一実施形態においては、既存の住宅等の浴室壁体に浴室配管接続具１を設置する手順について説明する。そして、予め用意する筒体７は、一般的な浴室壁体６の厚み寸法に対して、大きく長尺に形成されているものとする。
【００４０】
まず、浴室内壁１０の任意の位置に第一貫通孔１２と、浴室外壁１１における第一貫通孔１２に相対する位置に第二貫通孔１３を筒体７が挿通可能な径寸法を有するように穿設する。このとき、第一貫通孔１２及び第二貫通孔１３は、互いに相対する位置に穿設されるため、浴室３又は浴室外５のいずれか一方から貫通孔を設けることによって、容易に形成することができる。なお、第一貫通孔１２及び第二貫通孔１３の穿設位置としては、洗濯機４より高い位置であることが好適である。これにより、筒体７に接続されるホース１９及びパイプ２０に残り湯１８等の液体が溜まり難くなり、このホース１９又はパイプ２０を筒体７から取り外した際に、ホース１９又はパイプ２０の内部から浴室３や浴室外５に液体が流出してしまうことを防止することができる。
【００４１】
次に、筒体７を、浴室壁体６の厚み寸法に対応した所定の長さになるように切断する。このように、長寸の筒体７を現場で切断することによって、一種類の筒体７のみで浴室壁体の種々の厚み寸法に対応することが可能となる。これにより、予め長さの異なる複数の筒体を用意する必要がなくなり、作業性の向上及びコストの軽減を図ることができる。
【００４２】
次に、主に図２に示すように、筒体７を、浴室３から第一貫通孔１２及び第二貫通孔１３に挿通させる。すると、係止部１５の係止爪１６は、第一貫通孔１２を通過する際には第一貫通孔１２の内周面に押圧されて傾倒位置に弾性変形し、収容溝１７に没入されるため、筒体７の挿通の障害とはならない。そして、係止爪１６が浴室内壁と浴室外壁１１との間に介在する状態となるまで挿通を行う。
【００４３】
そして、ナット８を、筒体７の浴室内壁１０から突出した部分にゴム製パッキン２１を介在させた状態で挿通させ、筒体７の外周面に形成された雄ネジ部１４に螺合させる。ここで、ナット８は、係止部１５が浴室内壁１０の浴室外壁１１と対向する面に係止する状態となるまで螺合させる。これにより、筒体７は浴室内壁１０に固定される。ここで、浴室内壁１０は、ナット８と係止部１５とによって挟み込まれる状態となるため、一方向に撓みが生じるおそれはない。したがって、薄型の壁から構成される浴室壁体に対しても好適に使用することができる。
【００４４】
そして、ナット９を、筒体７の浴室外壁１１から突出した部分にゴム製パッキン２２を介在させた状態で挿通させ、ナット８と同様に雄ネジ部１４に螺合させる。ここで、ナット９は、浴室外壁１１に当接するまで螺合させる。これにより、筒体７は浴室外壁１１に固定されることとなり、すなわち、浴室壁体６に固定されることとなる。以上の手順によって、第一実施形態の浴室配管接続具１は設置される。
【００４５】
さらに、浴室３に設置されたホース１９、及び、浴室外５に設置され、洗濯機４に連結されたパイプ２０を、筒体７の、浴室壁体６から突出した部分に接続する。具体的には、筒体７の、浴室内壁１０側から突出した部分には袋ナット２３及びコネクタ２４を介してホース１９を接続し、浴室外壁１１側から突出した部分には袋ナット２６を介してパイプ２０を接続する。これにより、浴室３に設置されたホース１９と浴室外５に設置されたパイプ２０とが浴室３の窓又はドア２５を介することなく接続される。ここで、ホース１９又はパイプ２０が、本発明における配管に相当する。
【００４６】
なお、図２に示すように、ホース１９を接続するためのコネクタ２４は、先端側を小径とするテーパー状に形成された挿入ガイド２４ａが設けられている。これにより、軟弾性を有するホース１９を、このテーパーに沿って外嵌させることによって容易に接続させることができる。また、コネクタ２４には、互いに異なる幅寸法を有する複数の挿入ガイド２４ａが段階的に設けられている。これにより、径が異なる種々のホースに対応させることができる。
【００４７】
さらに、このコネクタ２４の方向を適宜回動（図２一点鎖線参照）させることができるように構成しておけば、コネクタ２４を、ホース１９を接続しやすい方向に回動させたりすることも可能となる。
【００４８】
そして、浴槽２内の残り湯１８を洗濯機４に供給する場合、ホース１９の先端を浴槽２の底部付近に投入する。その後、洗濯機４に設置された吸水ポンプ（図示しない）を作動させることにより、浴槽２内の残り湯１８が、ホース１９、浴室配管接続具１、及びパイプ２０を介して、洗濯機４に供給される。これにより、浴室３のドア２５や窓を開けることなく、浴槽２の残り湯１８を洗濯機４の洗濯槽に供給することができる。
【００４９】
ところで、浴室３内に所定の気体を供給する場合には、浴室外５にて接続されるパイプ２０を浴室外５に設置された気体供給装置（図示しない）に連結されたパイプに交換し、浴室３にて接続されるホース１９を外した状態で気体供給装置を作動させることで、その気体供給装置からパイプ及び浴室配管接続具１を介して、浴室３のドア２５や窓を介することなく、浴室３へ所定の気体を供給することが可能となる。
【００５０】
このように、第一実施形態の浴室配管接続具１によると、浴室のドアや窓を開けることなく、浴槽の残り湯を洗濯槽に供給することができる。
【００５１】
また、浴室壁体６を貫通するように設置されており、従来のような配管の収納部を備えるものではないため、比較的容易に設置することができる。
【００５２】
さらに、第一実施形態の浴室配管接続具１を設置するために浴室壁体６が必要とするスペースとしては、第一貫通孔１２及び第二貫通孔１３を穿設するためのスペースのみとなるため、浴室壁体６の状況に制限を受けることなく、種々の浴室にて使用することが可能となる。加えて、この筒体７は、ナット８，９を螺合させることによって浴室壁体６に固定するものであるため、ナット８，９の螺合位置を調節することによって、一種の筒体７で異なる厚み寸法の浴室壁体に対応することが可能となる。したがって、取り扱いが容易な浴室配管接続具とすることができる。
【００５３】
次に、本発明の第二実施形態における浴室配管接続具３０について図４乃至図７に基づいて説明する。なお、第二実施形態の浴室配管接続具３０において、第一実施形態の浴室配管接続具１と同一の機能及び構成を示すものは、同一番号を付し、ここでは詳細な説明は省略する。
【００５４】
図４に示すように、第二実施形態の浴室配管接続具３０は、浴室壁体６を貫通して設置された収容ケース３１と、収容ケース３１の壁を貫通して設置された筒体７と、この筒体７を収容ケース３１に固定するナット８と、浴室外壁１１を貫通して設置されると共に一端が筒体７に接続された供給ホース３２とから構成されているものである。ここで、供給ホース３２は本発明における管状体に相当する。
【００５５】
次に、収容ケース３１について、さらに詳しく説明する。図５及び図６に示すように、収容ケース３１は、箱形を呈し、内部に収容凹部３３が形成された第一ケース部３４と、この第一ケース部３４に外嵌され第二ケース部３５とから構成される。
【００５６】
第一ケース部３４の開口３６付近には、外方に延出され、浴室内壁１０に穿設された第三貫通孔３７の径寸法より大きい外形寸法を有する第一フランジ３８が形成されている。そして、この第一ケース部３４は、収容凹部３３が浴室３に連通するように第三貫通孔３７に嵌挿され、第一フランジ３８が浴室内壁１０に当接した状態で複数の固定ネジ４０によって浴室内壁１０に軸支されることによって、浴室内壁１０に固定されている。また、この第一ケース部３４における開口３６と対向する側面４１には、筒体７を挿通させるための第一貫通孔１２が穿設されている。
【００５７】
さらに、図７に示すように、第一ケース部３４の底面４２には、所定の大きさの第四貫通孔４３が穿設されていると共に、この第三貫通孔４３と連通するように円筒状のホース取付部４４が下方に延びるように備えられている。そして、本例では、このホース取付部４４に取付けられた排水ホース４５が浴槽２の排水口４６に接続されており、第一ケース部３４内に漏出した残り湯１８等を第三貫通孔４３及び排水ホース４５を介して排水口４６へ排水されるよう構成されている。
【００５８】
一方、図５及び図６に示すように、第二ケース部３５は、第一ケース部３４の外周面と略同一形状の内周面を有する筒状の部材であり、第一ケース部３４に外嵌した状態で長さ方向に摺動可能に構成されている。さらに、第二ケース部３５における一方の開口４７付近には、外方に延出され、浴室外壁１１に穿設された第五貫通孔４８の径寸法より大きい外形寸法を有する第二フランジ４９が形成されている。そして、この第二ケース部３５は、少なくとも一部が第一ケース部３４に外嵌されるように第五貫通孔４８に嵌挿され、第二フランジ４９が浴室外壁１１に当接した状態で複数の固定ネジ４０によって浴室外壁１１に軸支されることによって、浴室外壁１１に固定されている。なお、この第二ケース部３５の底面４２には、排水ホース４５が当接することを防止するために、切欠部５０が形成されている。
【００５９】
次に、筒体７及び供給ホース３２について、さらに詳しく説明する。筒体７は、略直角に折曲形成されたものであり、外周面の両端近傍に設けられた雄ネジ部１４と、係る雄ネジ部１４に近接して設けられ、外方に延出するフランジ部３９とを有するものである。そして、この筒体７は、第一貫通孔１２に挿通され、一端が収容ケース３１の側面４１から突出されると共に収容凹部３３に収容され、他端が浴室内壁１０及び浴室外壁１１間に介在された状態でゴム製パッキン２１を介在して螺合されたナット８によって収容ケース３１に固定されている。ここで、ナット８は、フランジ３９が浴室内壁１０の浴室外壁１１と対向する面にゴム製パッキン５３を介して当接する状態となるまで螺合させる。これにより、浴室内壁１０は、ナット８とフランジ部３９とによって挟み込まれる状態となるため、第一実施形態の浴室配管接続具１と同様に、一方向に撓みが生じるおそれはなく、薄型の壁から構成される浴室壁体に対しても好適に使用することができる。
【００６０】
供給ホース３２は、合成樹脂等を素材として形成され、折曲可能な柔軟性を有するものである。そして、この供給ホース３２は、一端が浴室内壁１０及び浴室外壁１１間に介在された筒体７の他端に袋ナット２４を介して接続されており、他端が浴室外５に面する浴室外壁１１に穿設された第二貫通孔１３に挿通され、洗濯機４に連結されている。なお、この供給ホース３２は、浴室壁体６を構成する隣接した間柱５１の間や床下（図示しない）等を経由して浴室外壁１１に穿設された第二貫通孔１３に導かれている。
【００６１】
なお、上述の第二ケース部３５には、筒体７が当接することを防止するために、切欠部５２が形成されている。
【００６２】
これにより、第一貫通孔に挿通された筒体と、第一貫通孔に相対しない位置に位置した第二貫通孔に挿通された管状体とが、浴室内壁及び浴室外壁間に形成された間隙において接続されている。
【００６３】
このように、第二実施形態の浴室配管接続具３０によると、第一貫通孔１２に挿通された筒体７と、第一貫通孔１２に相対しない位置に位置した第二貫通孔１３に挿通された供給ホース３２とが、浴室内壁１０及び浴室外壁１１間に形成された間隙において接続される。これにより、浴室外壁１１における供給ホース３２を突出させる位置、すなわち第二貫通孔１３の穿設位置を任意の位置に決定することが可能になる。したがって、図４に示すように、浴室３の出入口に配置された扉が引戸６０である場合にも、第二貫通孔１３の穿設位置を引戸６０が通過する位置と異なる位置に設定することによって、浴室外５側の配管を取り外す必要なく浴室３を使用することができ、取扱いが容易になる。
【００６４】
また、本実施形態の浴室配管接続具３０においても、浴室外５に突出した供給ホース３２の端部を気体供給装置（図示しない）に連結することによって、第一実施形態の浴室配管接続具１と同様に、浴室３内に所定の気体を供給することが可能である。
【００６５】
また、筒体７の浴室３側に突出した部分は、収容ケース３１の収容凹部３３内に収容されるため、不使用時にはホース１９を外すことによって認識されにくくなり、浴室内の美的外観を保つことができる。
【００６６】
また、第二ケース部３５の内部は開口４７から視認可能である。このため、この開口４７を、筒体７と供給ホース３２との接続状況を確認する検査窓として利用することができる。
【００６７】
また、上述のように、収容ケース３１は、第一ケース部３４に対して摺動可能に外嵌された第二ケース部３５によって伸縮可能に構成されているため、厚さのことなる浴室壁体６に対しても、一種の収容ケース３１で対応することができる。
【００６８】
以上、本発明に係る一例を説明したが、本発明はこれに限らず、本発明の要旨を逸脱しない範囲で、種々の変更が可能である。
【００６９】
すなわち、第一実施形態の浴室配管接続具１においては、ナット８，９、及び筒体７に設けられた係止部１５を用いて筒体７を浴室壁体６に固定するものを例示したがこれに限定されるものではない。例えば、係止部１５が設けられていないものであっても、構わない。この場合でも、筒体７に螺合するナット８，９が浴室壁体６を両側から挟み込んで固定しているため、固定状態を保持することはできる。また、ナット９が螺合されていないものであっても構わない。この場合でも、ナット８と係止部１５とが浴室内壁１０を両側から挟み込むことによって、筒体７を浴室内壁１０に良好に固定することができる。また、筒体７の一端に、浴室内壁１０又は浴室外壁１１に当接可能なフランジを設け、このフランジを浴室内壁１０又は浴室外壁１１に当接させた状態で筒体の他端にナットを螺合させることによって筒体７を浴室壁体６に固定するものであっても構わない。この場合も、浴室壁体６の両側から挟み込んだ状態で筒体７を浴室壁体６に固定するため、良好に固定状態を保持することができる。
【００７０】
さらに、浴室配管接続具１において、係止部１５は、筒体７と別部材によって形成されているものを例示したが、これに限定されるものではなく、筒体７及び係止部１５は、一体的に形成されているものであっても構わない。
【００７１】
さらに、第二実施形態の浴室配管接続具３０において、収容ケース３１を備えたものを例示したが、これに限定されるものではない。例えば、製造コストの削減を図る場合には、収容ケース３１を備えることなく、ナット８によって浴室内壁１０に固定されているものであっても構わない。なお、この場合には、図８に示すように、浴室壁体６内に備えられた間柱５１に支持プレート６１を取付け、この支持プレート６１によって下方から筒体７を支持することが考えられる。これにより、筒体７の浴室内壁１０への固定状態を良好に保持することができる。
【００７２】
さらに、浴室配管接続具３０において、収容ケース３１が、浴室３に開口する第一ケース部３４と、浴室外５に開口する第二ケース部３５とから構成されるものを例示したが、これに限定されるものではない。例えば、第二ケース部３５を備えないものであっても構わない。
【００７３】
また、収容ケース３１が、第一ケース部３４と第二ケース部３５とに加えて、第一ケース部３４の開口３６を閉塞可能な扉、又は、第二ケース部３５の開口４７を閉塞可能な扉をさらに備えるものであっても構わない。これにより、この扉によって開口を閉塞することによって、収容ケース３１の内部を遮蔽することが可能となり、浴室３又は浴室外５の美的外観を保つことができる。また、第一ケース部３４の開口３６を閉塞可能な扉を備える場合には、この扉に浴室３に設置されたホース１９が挿通可能な切り欠きや貫通孔を設け、その切り欠き等を介してホース１９を伸び出させるようにしても構わない。これにより、浴室配管接続具３０を、扉を閉じた状態でもホース１９を接続することが可能となり、浴室３の美的外観を損なうことなく使用することができる。
【００７４】
また、第二実施形態の浴室配管接続具３０において、収容ケース３１を、浴室３及び浴室外５間の浴室壁体６に設置したものを例示したが、これに限定されるものではない。例えば、浴室３及び浴室外を区画する面とは異なる面に配置された浴室壁体６に設置されるものであっても構わない。この場合でも、筒体７に接続された供給ホース３２を浴室内壁及び浴室外壁間に形成された間隙において第二貫通孔１３に導くことによって、第二実施形態の浴室配管接続具３０と同様に使用することができる。なお、上述のように、収容ケース３１を備えることなく、ナット８によって浴室内壁１０に固定されているものである場合にも、筒体７を浴室３及び浴室外を区画する面とは異なる面に配置された浴室内壁１０に設置しても構わない。
【００７５】
また、第二実施形態の浴室配管接続具３０において、略直角に折曲形成された筒体７を例示したが、これに限定されるものではない。例えば、図９に示すように、内部に分岐通路が形成された略Ｔ持形状を呈するものであっても構わない。この場合には、図１に示すように、第二ケース部３５の開口４７を利用して、第一実施形態の浴室配管接続具１と同様に浴室外に配置されたパイプ２０を接続させることを選択することも可能となり、壁体の状況に幅広く対応することができる。さらに、このような筒体７を使用することによって、一種類の筒体７のみで、種々の浴室外壁１１に穿設された第二貫通孔１３の位置に対応することが可能となる。これにより、予め形状の異なる複数の筒体を用意する必要がなくなり、作業性の向上及びコストの軽減を図ることができる。なお、この略Ｔ持形状を呈する筒体７を使用する場合には、筒体７内の残り湯１８等が漏水することを防止するために、接続部における使用しない側の端部に、筒体７に螺合可能であると共に筒体７内を閉塞可能な蓋部５４を取付けることが好適である。
【図面の簡単な説明】
【００７６】
【図１】第一実施形態の浴室配管接続具の使用状態を示す側面図である。
【図２】図１に示す浴室配管接続具の内部を示す平面断面図である。
【図３】図１に示す浴室配管接続具の使用状態を示す平面図である。
【図４】第二実施形態の浴室配管接続具の使用状態を示す平面図である。
【図５】図４に示す浴室配管接続具の内部を示す平面断面図である。
【図６】図４に示す収容ケースの分解斜視図である。
【図７】図４に示す浴室配管接続具の使用状態を示す側面図である。
【図８】第二実施形態の浴室配管接続具の別の例を示す平面図である。
【図９】第二実施形態の浴室配管接続具の別の例を示す平面図である。
【符号の説明】
【００７７】
１，３０  浴室配管接続具
２  浴槽
３  浴室
４  洗濯機
５  浴室外
６  浴室壁体
７  筒体
８，９  ナット（固定部材）
１０  浴室内壁
１１  浴室外壁
１２  第一貫通孔
１３  第二貫通孔
１４  雄ネジ部
１５  係止部
１６  係止爪
１７  収容溝
１８  残り湯
１９  ホース（配管）
２０  パイプ（配管）
２１，２２  ゴム製パッキン
２３，２６  袋ナット
２４  コネクタ
２５  ドア
３１  収容ケース
３２  供給ホース（管状体）
３３  収容凹部
３４  第一ケース部
３５  第二ケース部
３７  第三貫通孔
３８  第一フランジ
３９  フランジ部
４０  固定ネジ
４３  第四貫通孔
４４  ホース取付部
４５  排水ホース
４６  排水口
４８  第五貫通孔
４９  第二フランジ
５０，５２  切欠部
５１  間柱
５４  蓋部
６０  扉
６１  支持プレート
【図１】
2006274550.tif 000003
【図２】
2006274550.tif 000004
【図３】
2006274550.tif 000005
【図４】
2006274550.tif 000006
【図５】
2006274550.tif 000007
【図６】
2006274550.tif 000008
【図７】
2006274550.tif 000009
【図８】
2006274550.tif 000010
【図９】
2006274550.tif 000011